(57)【要約】【課題】映像データごとに重点的に確認する際、映像データの確認時間を短縮するとともに確認漏れを抑制する。【解決手段】映像再生装置１０１は、映像データを時間軸上で分割し、分割されたそれぞれの映像データの再生開始時刻を示す分割再生情報を生成する分割再生情報生成手段１１０と、分割再生情報生成手段１１０で生成された分割再生情報を用いて、再生開始時刻それぞれの映像データを再生開始時刻から同時に再生する再生手段１０３と、再生手段１０３で再生されたそれぞれの映像データをモニタ１２０に分割表示させる映像表示手段１０２と備えている。【選択図】図１
2012004941.tif 000002
【特許請求の範囲】
【請求項１】
映像データを時間軸上で分割し、分割されたそれぞれの映像データの再生開始時刻を示す分割再生情報を生成する分割再生情報生成手段と、
前記分割再生情報生成手段で生成された分割再生情報を用いて、前記それぞれの映像データを再生開始時刻から同時に再生する再生手段と、
前記再生手段で再生された前記それぞれの映像データを表示装置に分割表示させる映像表示手段と、
を備えた映像再生装置。
【請求項２】
前記分割再生情報生成手段は、表示装置に分割表示させる際の分割数を示す分割表示数情報を用いて、映像データを前記分割数に分割することを特徴とする請求項１記載の映像再生装置。
【請求項３】
前記分割再生情報生成手段は、時間軸上の分割単位時間を示す分割単位時間情報を用いて、映像データを前記分割単位時間で分割することを特徴とする請求項１記載の映像再生装置。
【請求項４】
前記再生手段で前記それぞれの映像データを再生する際、再生された前記それぞれの映像データの連続するフレーム間の変化量を算出し、算出した変化量が所定の値を超えた場合、異常を検出する異常検出手段と、
前記映像表示手段で前記それぞれの映像データを表示装置に分割表示させる際、前記異常検出手段で異常が検出された映像データを強調処理する画像強調表示手段と、
を備えたことを特徴とする請求項１から請求項３のうちのいずれか１項記載の映像再生装置。
【発明の詳細な説明】
【技術分野】
【０００１】
この発明は、例えば映像監視システムにおいてカメラにより撮影された映像を再生する映像再生装置に関するものである。
【背景技術】
【０００２】
映像監視システムにおいては、監視対象エリア内の複数の監視地点、もしくは監視対象物に対して複数のアングルで監視を行うため、一般的に複数のカメラを用いている。各カメラは撮影した映像をデジタル信号に変換して映像再生装置に出力する。映像再生装置では、各カメラから入力した映像を記録し、記録した映像またはリアルタイムの映像を、監視者からの指示にしたがって再生してモニタに表示する。監視者はモニタに表示される映像を確認することで監視を行う。
映像再生装置は、映像をモニタに表示する際、例えば、表示する映像を所定時間毎に切り替えて順番に表示する方法や、１画面を分割した複数の表示領域毎に異なる映像を表示することで複数の映像を同時に表示する方法を用いており、各映像を最初（撮影開始時刻）から再生する。
一方、映像再生装置において監視者が映像を確認する際、確認時間を短縮するため、一般的に早送り再生が行われる。映像再生装置は、監視者からの指示にしたがい、映像データのフレームを間引きすることで早送り再生を行い、再生時間を短縮できるよう構成されている（例えば５フレーム毎秒で撮影された映像データにおいて３０フレームおきに表示する場合、６秒間隔で表示される）。
また、映像再生装置において、監視者による映像の確認時間を、早送り以外の方法で短縮する構成が開示されている（例えば特許文献１）。特許文献１の映像再生装置によれば、検出センサ、画像処理の演算を行うハードウエア（ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、メモリ等) 、画像処理を行うソフトウエア等の検出手段により異常発生を検出して検出情報を記録し、記録した検出情報に基づき異常が検知された時刻の映像を所定時間表示するよう構成されている。
【先行技術文献】
【特許文献】
【０００３】
【特許文献１】特開２００６−２１１４５９号公報
【発明の概要】
【発明が解決しようとする課題】
【０００４】
上述した映像再生装置において、監視者が異常発生時刻の映像を表示させるため、複数の映像を１つずつ再生表示させて映像毎に重点的に確認する場合がある。その際、早送り再生を行う映像再生装置は、間引きしたフレームに異常発生した映像が含まれている場合、異常が発生した映像を表示できないという問題があった。
また、異常発生を検知する映像再生装置は、検出手段に故障が発生した場合や検出感度などの設定条件により、検出したい対象物もしくはレベルが検出できず、異常が発生した映像を表示できないという問題があった。
その結果、従来の映像再生装置では、監視者が映像データごとに重点的に確認する際、映像の確認時間を短縮すると、監視者による映像の確認漏れが発生するという課題があった。
【０００５】
この発明は、上述した課題を解決するためになされたもので、監視者が映像データごとに重点的に確認する際、映像の確認時間を短縮するとともに確認漏れを抑制する映像再生装置を提供することを目的とする。
【課題を解決するための手段】
【０００６】
この発明に係る映像再生装置は、映像データを時間軸上で分割し、分割されたそれぞれの映像データの再生開始時刻を示す分割再生情報を生成する分割再生情報生成手段と、分割再生情報生成手段で生成された分割再生情報を用いて、それぞれの映像データを再生開始時刻から同時に再生する再生手段と、再生手段で再生されたそれぞれの映像データを表示装置に分割表示させる映像表示手段とを備えている。
【発明の効果】
【０００７】
この発明に係る映像再生装置によれば、上記のように構成したので、映像データのフレームを間引きすることなく、映像データの再生時間を短縮することができる。その結果、映像再生装置は、監視者が映像データごとに重点的に確認する際、映像データの確認時間を短縮するとともに確認漏れを抑制できる。
【図面の簡単な説明】
【０００８】
【図１】この発明の実施の形態１に係る映像再生装置の構成と表示画面を示す図である。
【図２】この発明の実施の形態１の映像再生装置における記録画像再生設定画面の一例を示す図である。
【図３】この発明の実施の形態１の映像再生装置において分割再生情報を生成する動作を示すフローチャートである。
【図４】この発明の実施の形態１の映像再生装置における映像データを再生する動作を示すフローチャートである。
【図５】この発明の実施の形態１の映像再生装置における仮想的な映像分割の概念を示す図である。
【図６】この発明の実施の形態２の映像再生装置における記録画像再生設定画面の一例を示す図である。
【図７ａ】この発明の実施の形態２の映像再生装置において分割再生情報を生成するフローチャートである。
【図７ｂ】この発明の実施の形態２の映像再生装置において分割再生情報を生成するフローチャートである。
【図８】この発明の実施の形態２の映像再生装置における仮想的な映像分割の概念を示す図である。
【図９】この発明の実施の形態２の映像再生装置の映像データにおける異常が発生した位置を示す図である。
【図１０】この発明の実施の形態３の映像再生装置の構成と表示画面を示す図である。
【図１１】この発明の実施の形態３の映像再生装置における分割表示映像の強調処理を示すフローチャートである。
【図１２】この発明の実施の形態３の映像再生装置における分割再生画像表示の一例を示す図である。
【図１３】この発明の実施の形態３の映像再生装置における再生状態を示すプログレスバーの一例を示す図である。
【発明を実施するための形態】
【０００９】
以下、この発明の実施の形態を、図面を参照しながら詳細に説明する。
実施の形態１．
図１は、この発明の実施の形態１の映像再生装置の構成と映像再生装置からの映像を表示する表示装置を示している。映像再生装置１０１は、複数の映像データを入力して記録し、入力した映像データまたは記憶した映像データを再生して、映像をモニタ（表示装置）１２０に表示させるよう構成されている。ここで、映像再生装置１０１における映像データは、図示しないカメラにより撮影されデジタル信号に変換されて圧縮符号化されたデータであり、例えば、圧縮符号化される際、静止画であればＩＳＯ（国際標準化機構）／ＩＥＣ（国際電気標準会議）で規格化されているＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）、動画であればＩＴＵ−Ｔ（Ｉｎｔｅｒｎａｔｉｏｎａｌ Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）にて規格化されているＨ．２６４やＩＳＯ／ＩＥＣのＭＰＥＧ（Ｍｏｖｉｎｇ  Ｐｉｃｔｕｒｅ  Ｅｘｐｅｒｔｓ  Ｇｒｏｕｐ)で規格化されているＭＰＥＧ−４等の圧縮符号化方式が用いられて圧縮符号化されている。
【００１０】
映像再生装置１０１は、映像表示手段１０２、再生手段１０３、記録手段１０４、分割再生情報生成手段１１０を備えている。映像表示手段１０２は、映像データを入力して映像に変換し、少なくとも２つ以上の映像を合成してモニタ１２０の１画面に同時に分割表示させるよう機能し、例えば複数の分割表示映像１０５ａ，１０５ｂ，１０５ｃ，１０５ｄを合成して、モニタ１２０の画面を４つに分割するような表示映像１０５の映像信号を生成する。
【００１１】
再生手段１０３は、分割再生情報生成手段１１０で生成された分割再生情報を用いて記録手段１０４から仮想的に分割された映像データをそれぞれ抽出し、抽出した映像データの圧縮符号化方式に対応した復号処理を行って分割された映像データを同時に再生するよう機能する。なお、再生手段１０３の実現手段はハードウェアでもソフトウェアでもかまわない。
【００１２】
記録手段１０４は、図示しない複数のカメラによりそれぞれ撮影された複数の映像を入力し、撮影時刻を含む映像データ１０６，１０７，１０８，１０９，・・・として記録している。記録手段１０４は、例えばカメラ１で撮影された映像データ１０６、カメラ２で撮影された映像データ１０７、カメラ３で撮影された映像データ１０８、カメラ４で撮影された映像データ１０９、・・・を記憶しており、映像再生装置１０１に接続されたカメラの台数分の映像データが記録される。なお、以降の説明では、記録手段１０４が動画の映像データ１０６〜１０９のみを記録しているものとして説明する。
【００１３】
分割再生情報生成手段１１０は、監視者によって与えられた情報を用いて映像データを時間軸上で仮想的に分割し、分割されたそれぞれの映像データの再生開始時刻を示す分割再生情報を生成するよう機能する。分割再生情報の再生開始時刻は、例えば仮想分割後の映像データの分割位置を示しており、例えば監視者によって与えられた映像データ選択情報、年月日情報、再生開始時刻情報、再生終了時刻情報、分割表示数情報に基づき生成される。分割再生情報の一具体例については後述する。
【００１４】
次に、実施の形態１の映像再生装置１０１において、監視者によって与えられる情報について説明する。図２は、映像再生装置１０１における記録画像再生設定画面２０１の一例を示している。映像再生装置１０１は、監視者からの指示にしたがって、図２に示すような記録画像再生設定画面２０１を生成し、モニタ１２０へ表示する。
【００１５】
記録画像再生設定画面２０１は、映像データ選択入力部２０２ａ、年月日入力部２０３ａ、開始時刻入力部２０４ａ、終了時刻入力部２０５ａ、分割表示数入力部２０６ａで構成されており、監視者が図示しないキーボードやタッチパネル等のヒューマンインタフェースを用いて上記各入力部に対応する情報（映像データ選択情報２０２、年月日情報２０３、開始時刻情報２０４、終了時刻情報２０５、分割表示数情報２０６）を入力するための画面である。
【００１６】
映像データ選択入力部２０２ａは、映像データ選択情報２０２として、例えば再生したい映像を撮影したカメラの番号が入力され、図２においてはカメラ「１」が入力されている。年月日入力部２０３ａは、再生したい映像の撮影年月日を示す年月日情報２０３が入力され、図２においては「２０１０」年「２」月「３」日が入力されている。開始時刻入力部２０４ａは、再生開始する映像の撮影時刻を示す開始時刻情報２０４が入力され、図２においては「２１」：「３０」が入力されている。終了時刻入力部２０５ａは、再生終了する映像の撮影時刻を示す終了時刻情報２０５が入力され、図２においては「２３」：「３０」が入力されている。分割表示数入力部２０６ａは、モニタ１２０に分割表示させる際の分割数を示す分割表示数情報２０６を入力するための表示であり、図２においては「４」分割が入力されている。
【００１７】
なお、図２に示す記録画像再生設定画面２０１は一例であり、図２に示す記録画像再生設定画面２０１以外の画面構成であってもよい。
【００１８】
次に、実施の形態１における映像再生装置１０１の動作について説明する。まず、分割再生情報を生成する動作について説明する。図３のフローチャートは、分割再生情報生成手段１１０の動作を示している。ここでは、上述した図２に示す情報が入力されたものとして説明する。
【００１９】
分割再生情報生成手段１１０は、監視者から図示しないヒューマンインタフェースを介して映像データの再生指示を受けると、記録画像再生設定画面２０１を生成して再生手段１０３と映像表示手段１０２を介してモニタ１２０に表示する。分割再生情報生成手段１１０は、上述した図２に示す映像データ選択情報２０２、年月日情報２０３、開始時刻情報２０４、終了時刻情報２０５、分割表示数情報２０６を入力すると（開始）、映像データ選択情報２０２として入力されたカメラ番号「１」を映像データ１０６の識別情報（映像データ識別情報）として設定する（ステップＳＴ１０１）。
【００２０】
分割再生情報生成手段１１０は、ステップＳＴ１０１において映像データ１０６の識別情報を設定すると、続いて、年月日情報２０３として入力された「２０１０」年「２」月「３」日と開始時刻情報２０４として入力された「２１」：「３０」に基づき、「２０１０年２月３日２１時３０分」を再生開始時刻Ｔｓとして設定する（ステップＳＴ１０２）。
【００２１】
分割再生情報生成手段１１０は、ステップＳＴ１０２において再生開始時刻Ｔｓを設定すると、続いて、年月日情報２０３として入力された「２０１０」年「２」月「３」日と終了時刻情報２０５として入力された「２３」：「３０」に基づき、「２０１０年２月３日２３時３０分」を再生終了時刻Ｔｅとして設定する（ステップＳＴ１０３）。
【００２２】
分割再生情報生成手段１１０は、ステップＳＴ１０３において再生終了時刻Ｔｅを設定すると、再生開始時刻Ｔｓと再生終了時刻Ｔｅに基づき、再生終了時刻Ｔｅ「２０１０年２月３日２３時３０分」から再生開始時刻Ｔｓ「２０１０年２月３日２１時３０分」を差し引いて映像データ１０６の再生時間ｔ＝１２０分（ｔ＝Ｔｅ−Ｔｓ）を算出する（ステップＳＴ１０４）。
【００２３】
分割再生情報生成手段１１０は、ステップＳＴ１０４において映像データ１０６の再生時間ｔ＝１２０分を算出すると、続いて、分割表示数情報２０６として入力した「４」を分割表示数Ｎとして設定するとともに、分割画面番号ｎ＝１，２，３，４（ｎ＝１，２，・・・，Ｎ）を設定する（ステップＳＴ１０５）。
【００２４】
分割再生情報生成手段１１０は、ステップＳＴ１０５において分割表示数Ｎ＝４を設定すると、映像データ１０６の再生時間ｔ＝１２０分を分割表示数Ｎ＝４で割って分割再生時間ｔｄ＝３０分（ｔｄ＝ｔ／Ｎ）を算出する（ステップＳＴ１０６）。
【００２５】
分割再生情報生成手段１１０は、ステップＳＴ１０６において分割再生時間ｔｄ＝３０分を算出すると、再生開始時刻Ｔｓ＝「２０１０年２月３日２１時３０分」、分割再生時間ｔｄ＝３０分、分割画面番号ｎ＝１，２，３，４に基づき、映像データ１０６を時間軸で仮想的に分割するための再生開始時刻Ｔｎｓ（Ｔｎｓ＝Ｔｓ＋ｔｄ×（ｎ−１））を算出する（ステップＳＴ１０７）。分割再生情報生成手段１１０は、ステップＳＴ１０７において、例えば再生開始時刻Ｔ１ｓ＝「２０１０年２月３日２１時３０分」、再生開始時刻Ｔ２ｓ＝「２０１０年２月３日２２時００分」、再生開始時刻Ｔ３ｓ＝「２０１０年２月３日２２時３０分」、再生開始時刻Ｔ４ｓ＝「２０１０年２月３日２３時００分」を算出する。
【００２６】
分割再生情報生成手段１１０は、ステップＳＴ１０１において設定した映像データ１０６の識別情報としてのカメラ番号「１」とステップＳＴ１０７において算出した再生開始時刻Ｔ１ｓ＝「２０１０年２月３日２１時３０分」，Ｔ２ｓ＝「２０１０年２月３日２２時００分」，Ｔ３ｓ＝「２０１０年２月３日２２時３０分」，Ｔ４ｓ＝「２０１０年２月３日２３時００分」を分割再生情報として生成する（終了）。
【００２７】
次に、映像データを再生する動作について説明する。図４のフローチャートは映像データを再生する動作を示している。映像再生装置１０１は、監視者から図示しないヒューマンインタフェースを介して映像データの再生指示を受けると、映像データの再生を開始する（開始）。
【００２８】
分割再生情報生成手段１１０は、上述した図３のステップＳＴ１０１〜ステップＳＴ１０７で説明したように分割再生情報を生成する（ステップＳＴ２０１）。再生手段１０３は、分割再生情報生成手段１１０のステップＳＴ２０１において分割再生情報が生成されると、分割再生情報に含まれるカメラ番号「１」（映像データ識別情報）と再生開始時刻Ｔｎｓ（Ｔ１ｓ＝「２０１０年２月３日２１時３０分」，Ｔ２ｓ＝「２０１０年２月３日２２時００分」，Ｔ３ｓ＝「２０１０年２月３日２２時３０分」，Ｔ４ｓ＝「２０１０年２月３日２３時００分」）を用いて、映像データ１０６の「２０１０年２月３日２１時３０分」，「２０１０年２月３日２２時００分」，「２０１０年２月３日２２時３０分」，「２０１０年２月３日２３時００分」における１フレーム分の映像データをそれぞれ抽出する（ステップＳＴ２０２）。
【００２９】
再生手段１０３は、ステップＳＴ２０２において記録手段１０４から入力した各映像データを既知の技術により復号化して映像表示手段１０２へ出力する（ステップＳＴ２０３）。映像表示手段１０２は、再生手段１０３から各映像データを入力すると、入力された各映像データを合成して１画面分の映像信号を生成し（ステップＳＴ２０４）、モニタ１２０へ出力する（ステップＳＴ２０５）。
【００３０】
再生手段１０３は、ステップＳＴ２０２からステップＳＴ２０５までの処理が終わると、仮想分割後の各映像データにおける次のフレームの有無を確認して判定する（ステップＳＴ２０６）。再生手段１０３は、ステップＳＴ２０６において次のフレームがあると判定すると（ステップＳＴ２０６“ＮＯ”）、ステップＳＴ２０２からの処理を繰り返す。
【００３１】
一方、再生手段１０３は、ステップＳＴ２０６において次のフレームがないと判定すると（ステップＳＴ２０６“ＹＥＳ”）、映像データ１０６の再生が終わったものと判断して動作を終了する（終了）。
【００３２】
このようにして再生された映像データ１０６は、それぞれ再生開始時刻Ｔ１ｓ＝「２０１０年２月３日２１時３０分」、再生開始時刻Ｔ２ｓ＝「２０１０年２月３日２２時００分」、再生開始時刻Ｔ３ｓ＝「２０１０年２月３日２２時３０分」、再生開始時刻Ｔ４ｓ＝「２０１０年２月３日２３時００分」を再生開始時刻とする再生時間３０分の４個の映像データであり、映像データ１０６を「２０１０年２月３日２１時３０分」から「２０１０年２月３日２３時３０分」まで１２０分通しで再生する場合に比べて１／４の再生時間になる。
【００３３】
ここで、実施の形態１において１つの映像データを仮想的に分割する概念について説明する。図５は、実施の形態１の映像再生装置１０１における映像データを時間軸で示している。ここで、図５において、カメラ「１」により撮影された映像の映像データ１０６を選択し、再生開始時刻を「Ｔｓ」、再生終了時刻を「Ｔｅ」、分割表示数Ｎを「４」で設定した場合について説明する。
【００３４】
映像データ１０６は、図５に示すように時刻Ｔｓから時刻Ｔｅまでに撮影された映像データであり、その再生時間「ｔ」はＴｅ−Ｔｓで算出される。上述したように、例えば仮想的に４分割して表示した場合、映像データ１０６ａの再生開始時刻（再生開始時刻）はＴｓであり、映像データ１０６ｂの再生開始時刻はＴｓ＋ｔ／４であり、映像データ１０６ｃの再生開始時刻はＴｓ＋２ｔ／４であり、映像データ１０６ｄの再生開始時刻はＴｓ＋３ｔ／４である。これら仮想分割後の映像データ１０６ａ，１０６ｂ，１０６ｃ，１０６ｄはそれぞれ再生時間がｔ／４となる。すなわち、映像再生装置１０１は、１つの映像データ１０６を時間軸で仮想的に等分割して再生時間をｔ／Ｎにすることで、再生時間を短縮している。
【００３５】
なお、記録手段１０４にて記録した映像データの圧縮符号化方式が、例えばＪＰＥＧのような各フレームのデータのみで１フレームの画像を復号することが可能な圧縮符号化方式では、分割再生情報生成手段１１０で算出した開始時間から再生が可能である。しかし、例えばＭＰＥＧ−４のような１フレームのデータのみで符号化する場合とフレーム間の相関データを利用して符号化する場合が存在するような圧縮符号化方式では、分割再生情報生成手段１１０で算出した再生開始時刻から再生できない場合がある。このような方式の場合には、符号化を行う時点で１フレームのデータのみで符号化可能なフレームを例えば１秒間隔で生成して記録手段１０４に記録しておき、再生開始時刻の直近に存在する１フレームのデータのみで符号化可能なフレームの映像データから再生開始するようにしておけば、再生開始時刻の誤差を１秒以内に収めて、実施することが出来る。その場合、１フレームのデータのみで符号化可能なフレームを生成する間隔は、映像再生装置１０１内部に固定値として予め記憶するよう構成してもよく、監視者によるヒューマンインタフェースを介して設定するように構成してもよい。
【００３６】
以上のように、実施の形態１によれば、映像再生装置１０１は、複数のカメラによりそれぞれ撮影された複数の映像データ１０６，１０７，１０８，１０９を記録する記録手段１０４と、監視者によって与えられた情報（映像データ選択情報２０２、年月日情報２０３、再生開始時刻情報２０４、再生終了時刻情報２０５、分割表示数情報２０６）を用いて映像データを時間軸上で仮想的に分割し、分割されたそれぞれの映像データの分割位置を示す再生開始時刻を分割再生情報として生成する分割再生情報生成手段１１０と、分割再生情報生成手段１１０で生成された分割再生情報を用いて、仮想分割後の複数の映像データの少なくとも２つ以上を記録手段１０４から抽出し、各映像データの圧縮符号化方式に対応した復号処理を行って再生開始時刻から同時に再生する再生手段１０３と、再生手段１０３で再生された仮想分割後のそれぞれの映像データを合成して映像１０５を生成し、仮想分割後の映像の少なくとも２つ以上をモニタ１２０の１画面に分割表示させる映像表示手段１０２とを備えるよう構成したので、映像データのフレームを間引きすることなく、映像データ毎の再生時間を短縮することができる。その結果、映像再生装置１０１は、監視者が映像データ毎に重点的に確認する際、映像データの確認時間を短縮するとともに確認漏れを抑制できるという効果が得られる。
【００３７】
実施の形態２．
実施の形態１においては、監視者により与えられた分割表示数を用いて１つの映像データを時間軸で仮想的に分割する構成について説明した。実施の形態２は、分割表示数が固定されている場合に、監視者により与えられた分割時間を用いて１つの映像データを時間軸で仮想的に分割する構成について説明する。なお、実施の形態２の映像再生装置において図面上の構成は、実施の形態１の映像再生装置１０１と同様の構成であるため、図１を用いて説明する。
【００３８】
映像再生装置１０１は、図１に示すように、映像表示手段１０２、再生手段１０３、記録手段１０４、分割再生情報生成手段１１０を備えている。ここで、映像表示手段１０２と分割再生情報生成手段１１０以外の構成は、実施の形態１と同じ構成であるため、映像表示手段１０２と分割再生情報生成手段１１０以外の構成については説明を省略する。
【００３９】
映像表示手段１０２は、複数の映像データを入力して映像信号に変換し、予め決められた固定表示数Ｎ個の映像を合成して同時に１画面に表示するよう機能し、例えば複数の映像１０５ａ，１０５ｂ，１０５ｃ，１０５ｄを合成して、モニタ１２０の画面を固定表示数Ｎ＝４に分割して表示するような表示映像１０５を生成する。
【００４０】
分割再生情報生成手段１１０は、監視者によって与えられた情報を用いて映像データを時間軸上で仮想的に分割し、分割されたそれぞれの映像データの再生開始時刻を示す分割再生情報を生成するよう機能する。分割再生情報の再生開始時刻は、例えば仮想分割後の映像データの分割位置を示しており、例えば監視者によって与えられた映像データ選択情報、年月日情報、再生開始時刻情報、再生終了時刻情報、分割単位時間情報に基づき生成される。分割再生情報の一具体例については後述する。
【００４１】
次に、実施の形態２における分割再生情報について説明する。図６は、実施の形態２の映像再生装置１０１における記録画像再生設定画面５０１の一例を示している。映像再生装置１０１は、監視者からの指示にしたがって、図６に示すような記録画像再生設定画面５０１を生成し、モニタ１２０へ表示する。
【００４２】
記録画像再生設定画面５０１は、映像データ選択入力部５０２ａ、年月日入力部５０３ａ、開始時刻入力部５０４ａ、終了時刻入力部５０５ａ、分割単位時間入力部５０６ａで構成されており、監視者が図示しないキーボードやタッチパネル等のヒューマンインタフェースを用いて上記各入力部に対応する情報（映像データ選択情報５０２、年月日情報５０３、再生開始時刻情報５０４、再生終了時刻情報５０５、分割単位時間情報５０６）を入力するための画面である。
【００４３】
映像データ選択入力部５０２ａは、映像データ選択情報５０２として、例えば再生したい映像を撮影したカメラの番号が入力され、図６においてはカメラ「１」が入力されている。年月日入力部５０３ａは、再生したい年月日を示す年月日情報５０３が入力され、図６においては「２０１０」年「２」月「３」日が入力されている。開始時刻入力部５０４ａは、再生を開始したい時刻を示す再生開始時刻情報５０４が入力され、図６においては「２１」：「３０」が入力されている。終了時刻入力部５０５ａは、再生を終了したい時刻を示す再生終了時刻情報５０５が入力され、図６においては「２３」：「３０」が入力されている。分割単位時間入力部５０６ａは、時間軸上の分割単位時間を示す分割単位時間情報５０６を入力するための表示であり、図６においては「１５」分が入力されている。
【００４４】
なお、図６に示す記録画像再生設定画面５０１は一例であり、図６に示す記録画像再生設定画面５０１以外の画面構成であってもよい。
【００４５】
次に、実施の形態２における映像再生装置１０１の動作について説明する。まず、分割再生情報を生成する動作について図７ａ，７ｂを用いて説明する。図７ａ，７ｂのフローチャートは、分割再生情報生成手段１１０の動作を示している。ここでは、監視者から上述した図６に示す情報が入力されるものとして説明する。
【００４６】
分割再生情報生成手段１１０は、監視者から図示しないヒューマンインタフェースを介して映像データの再生指示を受けると、記録画像再生設定画面５０１を生成して再生手段１０３と映像表示手段１０２を介してモニタ１２０に表示する。分割再生情報生成手段１１０は、上述した図２に示す映像データ選択情報５０２、年月日情報５０３、開始時刻情報５０４、終了時刻情報５０５、分割単位時間情報５０６を入力すると（開始）、映像データ選択情報５０２として入力されたカメラ番号「１」を映像データ１０６の識別情報（映像データ識別情報）として設定する（ステップＳＴ７０１）。
【００４７】
分割再生情報生成手段１１０は、ステップＳＴ７０１において映像データ１０６の識別情報を設定すると、続いて、年月日情報５０３として入力された「２０１０」年「２」月「３」日と開始時刻情報５０４として入力された「２１」：「３０」に基づき、「２０１０年２月３日２１時３０分」を再生開始時刻Ｔｓとして設定する（ステップＳＴ７０２）。
【００４８】
分割再生情報生成手段１１０は、ステップＳＴ７０２において再生開始時刻Ｔｓを設定すると、続いて、年月日情報５０３として入力された「２０１０」年「２」月「３」日と終了時刻情報５０５として入力された「２３」：「３０」に基づき、「２０１０年２月３日２３時３０分」を再生終了時刻Ｔｅとして設定する（ステップＳＴ７０３）。
【００４９】
分割再生情報生成手段１１０は、ステップＳＴ７０３において再生終了時刻Ｔｅを設定すると、再生開始時刻Ｔｓと再生終了時刻Ｔｅに基づき、再生終了時刻Ｔｅ「２０１０年２月３日２３時３０分」から再生開始時刻Ｔｓ「２０１０年２月３日２１時３０分」を差し引いて映像データ１０６の再生時間ｔ＝１２０（分）（ｔ＝Ｔｅ−Ｔｓ）を算出する（ステップＳＴ７０４）。
【００５０】
分割再生情報生成手段１１０は、ステップＳＴ７０４において映像データ１０６の再生時間ｔ＝１２０分を算出すると、続いて、分割単位時間情報５０６として入力した「１５」分を分割単位時間Δｔとして設定する（ステップＳＴ７０５）。
【００５１】
分割再生情報生成手段１１０は、ステップＳＴ７０４で算出した映像データ１０６の再生時間ｔ＝１２０（分）をステップＳＴ７０５で設定したΔｔ＝１５（分）で割り、映像データ１０６の分割数Ｎｖ＝８（Ｎｖ＝ｔ／Δｔ）を算出する（ステップＳＴ７０６）。
【００５２】
ここで、映像表示手段１０２により同時に表示できる映像の数が予め固定表示数Ｎ＝４個に決めれているため、分割数Ｎｖ＝８で分割した映像データ１０６を全て同時に１回で表示することができない。そこで、以下のような処理を行う。
【００５３】
分割再生情報生成手段１１０は、ステップＳＴ７０６の処理に続いて、分割表示回数Ｄを１（回）に設定する（ステップＳＴ７０７）。ここで、分割表示回数Ｄは、仮想的に分割された映像データのうちＮ個を同時に時間Δｔ再生した場合を１回として数えるものとする。
【００５４】
分割再生情報生成手段１１０は、ステップＳＴ７０７の処理に続いて、ステップＳＴ７０６で算出した分割数Ｎｖ＝８と固定表示数Ｎ＝４を比較し、分割数Ｎｖが固定表示数Ｎ以下（Ｎｖ≦Ｎ）であるか否かを判定する（ステップＳＴ７０８）。分割再生情報生成手段１１０は、ステップＳＴ７０８において分割数Ｎｖが固定表示数Ｎ以下である場合（ステップＳＴ７０８“ＹＥＳ”）、ステップＳＴ７１２へ遷移する。
【００５５】
一方、分割再生情報生成手段１１０は、ステップＳＴ７０８において分割数Ｎｖが固定表示数Ｎ以下でない場合（ステップＳＴ７０８“ＮＯ”）、分割表示回数がＤ回行った場合の未再生の仮想分割後の映像データ数（Ｎｖ−Ｎ×Ｄ）と固定表示数Ｎとを比較し、未再生の仮想分割後の映像データ数（Ｎｖ−Ｎ×Ｄ）が固定表示数Ｎ以下（Ｎｖ−Ｎ×Ｄ≦Ｎ）であるか否かを判定する（ステップＳＴ７０９）。
【００５６】
分割再生情報生成手段１１０は、ステップＳＴ７０９において、未再生の仮想分割後の映像データ数（Ｎｖ−Ｎ×Ｄ）が固定表示数Ｎ以下である場合（ステップＳＴ７０９“ＹＥＳ”）、分割表示回数Ｄを１つカウントアップして（ステップＳＴ７１０）、ステップＳＴ７１２の処理へ遷移する。
【００５７】
一方、分割再生情報生成手段１１０は、ステップＳＴ７０９において、未再生の仮想分割後の映像データ数（Ｎｖ−Ｎ×Ｄ）が固定表示数Ｎ以下でない場合（ステップＳＴ７０９“ＮＯ”）、分割表示回数Ｄを１つカウントアップして（ステップＳＴ７１１）、未再生の仮想分割後の映像データ数（Ｎｖ−Ｎ×Ｄ）が固定表示数Ｎ以下になるまでステップＳＴ７０９からの処理を繰り返す。
【００５８】
ここでは、分割数Ｎｖ＝８が固定表示数Ｎ＝４より大きく（ステップＳＴ７０８“ＮＯ”）、ステップＳＴ７０９で未再生の仮想分割後の映像データ数Ｎｖ−Ｎ×Ｄ＝４（Ｎｖ−Ｎ×Ｄ＝８−４×１）が固定表示数Ｎ＝４以下であるため（ステップＳＴ７０９“ＹＥＳ”）、ステップＳＴ７１０において分割表示回数Ｄ＝１を１つカウントアップして分割表示回数Ｄ＝２とし、ステップＳＴ７１２の処理へ遷移する。
【００５９】
分割再生情報生成手段１１０は、ステップＳＴ７０８またはステップＳＴ７１０の処理に続いて、分割再生情報算出回数Ｄｖ＝０を設定する（ステップＳＴ７１２）。ここで、分割再生情報算出回数Ｄｖは、仮想分割後の映像データのうち固定表示数Ｎ個の映像データの再生開始時刻を算出する処理の回数を示している。
【００６０】
分割再生情報生成手段１１０は、ステップＳＴ７１２の処理に続いて、最初（１回目）に表示する仮想分割後の映像データ（分割表示映像ｎ＝１，２，・・・，Ｎ）ごとの再生開始時刻Ｔｎｓ＝Ｔｓ＋Δｔ×（ｎ−１）を算出して分割再生情報を設定する（ステップＳＴ７１３）。ここでは、固定表示数Ｎ＝４、分割表示映像ｎ＝１，２，３，４、再生開始時刻Ｔｓ＝「２０１０年２月３日２１時３０分」、分割単位時間Δｔ＝「１５（分）」であるため、最初に表示する仮想分割後の映像データごとの再生開始時刻として、Ｔ１ｓ＝「２０１０年２月３日２１時３０分」、Ｔ２ｓ＝「２０１０年２月３日２１時４５分」、Ｔ３ｓ＝「２０１０年２月３日２２時００分」、Ｔ４ｓ＝「２０１０年２月３日２２時１５分」が算出される。
【００６１】
分割再生情報生成手段１１０は、ステップＳＴ７１３で分割再生情報を設定すると、分割再生情報算出回数Ｄｖ＝０を１つカウントアップして（Ｄｖ＝Ｄｖ＋１）、分割再生情報算出回数Ｄｖ＝１とする（ステップＳＴ７１４）。
【００６２】
分割再生情報生成手段１１０は、ステップＳＴ７１４において分割再生情報算出回数Ｄｖ＝１にすると、分割再生情報算出回数Ｄｖと分割表示回数Ｄとを比較し、分割再生情報算出回数Ｄｖが分割表示回数Ｄと同じ（Ｄｖ＝Ｄ）であるか否かを判定する（ステップＳＴ７１５）。分割再生情報生成手段１１０は、ステップＳＴ７１５において分割再生情報算出回数Ｄｖが分割表示回数Ｄと同じである場合（ステップＳＴ７１５“ＹＥＳ”）、ステップＳＴ７１９の処理へ遷移する。
【００６３】
一方、分割再生情報生成手段１１０は、ステップＳＴ７１５において分割再生情報算出回数Ｄｖが分割表示回数Ｄと同じでない場合（ステップＳＴ７１５“ＮＯ”）、分割再生情報算出回数Ｄｖ（回目）に表示する仮想分割後の映像データ（分割表示映像ｎ＝１，２，・・・，Ｎ）ごとの再生開始時刻Ｔｎｓ＝Ｔｓ＋Δｔ×Ｎ×Ｄｖ＋Δｔ×（ｎ−１）を算出して分割再生情報を設定する（ステップＳＴ７１６）。
【００６４】
分割再生情報生成手段１１０は、ステップＳＴ７１６で仮想分割後の映像データの再生開始時刻Ｔｎｓを算出すると、分割再生情報算出回数Ｄｖを１つカウントアップして（Ｄｖ＝Ｄｖ＋１）、分割再生情報算出回数Ｄｖ＝２とする（ステップＳＴ７１７）。
【００６５】
ここでは、ステップＳＴ７１５において、分割再生情報算出回数Ｄｖ＝１が分割表示回数Ｄ＝２と同じでないため（ステップＳＴ７１５“ＮＯ”）、分割再生情報生成手段１１０は、分割再生情報算出回数Ｄｖ＝１（回目）の次に表示する仮想分割後の映像データ（分割表示映像ｎ＝１，２，３，４）ごとの再生開始時刻Ｔｎｓを算出する（ステップＳＴ７１６）。分割再生情報生成手段１１０は、２回目に表示する仮想分割後の映像データごとの再生開始時刻として、Ｔ１ｓ＝「２０１０年２月３日２２時３０分」、Ｔ２ｓ＝「２０１０年２月３日２２時４５分」、Ｔ３ｓ＝「２０１０年２月３日２３時００分」、Ｔ４ｓ＝「２０１０年２月３日２３時１５分」を分割再生情報として設定する。
【００６６】
分割再生情報生成手段１１０は、ステップＳＴ７１７において分割再生情報算出回数Ｄｖを１つカウントアップすると、分割再生情報算出回数Ｄｖと分割表示回数Ｄとを比較し、分割再生情報算出回数Ｄｖが分割表示回数Ｄと同じ（Ｄｖ＝Ｄ）であるか否かを判定する（ステップＳＴ７１８）。分割再生情報生成手段１１０は、ステップＳＴ７１８において分割再生情報算出回数Ｄｖが分割表示回数Ｄと同じである場合（ステップＳＴ７１８“ＹＥＳ”）、ステップＳＴ７１９の処理へ遷移する。
【００６７】
一方、分割再生情報生成手段１１０は、ステップＳＴ７１８において分割再生情報算出回数Ｄｖが分割表示回数Ｄと同じでない場合（ステップＳＴ７１８“ＮＯ”）、分割再生情報算出回数Ｄｖが分割表示回数Ｄと同じになるまでステップＳＴ７１６からの処理を繰り返す。
【００６８】
分割再生情報生成手段１１０は、ステップＳＴ７１５またはステップＳＴ７１８の処理に続いて、分割単位時間Δｔと分割再生情報算出回数Ｄｖを乗じて映像データの再生時間Ｔｃ＝Δｔ×Ｄｖを算出する（ステップＳＴ７１９）。
【００６９】
なお、実施の形態２の映像再生装置１０１における映像データを再生する動作については、実施の形態１の図４に示すステップＳＴ２０７の処理の後に仮想分割後の映像データのうち未再生の映像データがあるか否かを判定して、未再生の映像データがある場合にステップＳＴ２０３からの処理を繰り返す以外の処理は同様であるため、実施の形態２の映像データを再生する動作の説明は省略する。
【００７０】
ここで、実施の形態２において１つの映像データを仮想的に分割する概念について説明する。図８は、実施の形態２の映像再生装置１０１における映像データを時間軸で示している。ここで、図８において、カメラ「１」により撮影された映像の映像データ１０６を選択し、再生開始時刻を「Ｔｓ」、再生終了時刻を「Ｔｅ」、分割単位時間Δｔを「１５（分）」で設定した場合について説明する。
【００７１】
映像データ１０６は、図８に示すように時刻Ｔｓから時刻Ｔｅまでに撮影された映像データであり、その再生時間「ｔ」はＴｅ−Ｔｓで算出される。上述したように、例えば分割単位時間Δｔ＝１５分で時間軸を仮想的に分割して表示した場合、映像データ１０６は８分割され、１つの画面で同時に表示できる分割映像は固定表示数Ｎ＝４個であるため、仮想分割後の映像データ１０６ｅ，１０６ｆ，１０６ｇ，１０６ｈと仮想分割後の映像データ１０６ｉ，１０６ｊ，１０６ｋ，１０６ｌとで２回に分けて表示することになる。すなわち、分割再生情報算出回数Ｄｖは２（回）である。
【００７２】
このとき、分割再生情報生成手段１１０は、１回目に表示する映像データ１０６ｅ〜１０６ｈの再生開始時刻（１）〜（４）は以下のように算出される。
（１）Ｔ１ｓ＝Ｔｓ＋Δｔ×（１−１）＝Ｔｓ
（２）Ｔ２ｓ＝Ｔｓ＋Δｔ×（２−１）＝Ｔｓ＋Δｔ×１
（３）Ｔ３ｓ＝Ｔｓ＋Δｔ×（３−１）＝Ｔｓ＋Δｔ×２
（４）Ｔ４ｓ＝Ｔｓ＋Δｔ×（４−１）＝Ｔｓ＋Δｔ×３
【００７３】
また、分割再生情報生成手段１１０は、２回目に表示する映像データ１０６ｉ〜１０６ｌの再生開始時刻（５）〜（８）は以下のように算出される。
（５）Ｔ１ｓ＝Ｔｓ＋Δｔ×４×１＋Δｔ×（１−１）＝Ｔｓ＋Δｔ×４
（６）Ｔ２ｓ＝Ｔｓ＋Δｔ×４×１＋Δｔ×（２−１）＝Ｔｓ＋Δｔ×４＋Δｔ×１
（７）Ｔ３ｓ＝Ｔｓ＋Δｔ×４×１＋Δｔ×（３−１）＝Ｔｓ＋Δｔ×４＋Δｔ×２
（８）Ｔ４ｓ＝Ｔｓ＋Δｔ×４×１＋Δｔ×（４−１）＝Ｔｓ＋Δｔ×４＋Δｔ×３
【００７４】
以上のように、実施の形態２の映像再生装置１０１は、分割再生情報生成手段１１０が監視者によって与えられた情報（映像データ選択情報５０２、年月日情報５０３、再生開始時刻情報５０４、再生終了時刻情報５０５、分割単位時間情報５０６）を用いて映像データを時間軸上で仮想的に分割し、分割されたそれぞれの映像データの分割位置を示す再生開始時刻を分割再生情報として生成するよう構成したので、実施の形態１と同様に、映像データのフレームを間引きすることなく、映像データ毎の再生時間を短縮することができる。その結果、映像再生装置１０１は、監視者が映像データ毎に重点的に確認する際、映像データの確認時間を短縮するとともに確認漏れを抑制できるという効果が得られる。
【００７５】
なお、実施の形態２において、異常が発生した時刻が予めわかっている場合、映像データを仮想的に分割する分割単位時間を調節することにより、映像再生装置１０１は、例えば図９（ａ），（ｂ）に示すように、異常Ａ，Ｂ，Ｃが発生した時刻の映像を早く再生することができる。
【００７６】
実施の形態３．
実施の形態１，２においては、監視者によって与えられた情報を用いて映像データを時間軸で仮想的に分割する構成について説明した。実施の形態３は、異常が発生した時刻の映像を強調して表示する構成について説明する。
【００７７】
実施の形態３の映像再生装置の構成を図１０を用いて説明する。図１０は、実施の形態３の映像再生装置の構成と映像再生装置からの映像を表示する表示装置を示している。なお、図１０において、実施の形態１の図１と同様の構成については、その説明を一部省略する。映像再生装置８０１は、映像表示手段８０２、再生手段８０３、記録手段８０４、分割再生情報生成手段８１０、異常映像管理手段８１３を備えている。映像表示手段８０２は画面強調表示手段８１２を有しており、再生手段８０３は異常検出手段８１１を有している。
【００７８】
記録手段８０４の構成は、実施の形態１における図１の記録手段８０４の構成と同じであるため、記録手段８０４の構成については説明を省略する。また、分割再生情報生成手段８１０の構成は、実施の形態１における図１の分割再生情報生成手段１１０の構成と同じであるため、分割再生情報生成手段８１０の構成については説明を省略する。
【００７９】
映像表示手段８０２は、複数の映像データを入力して映像に変換し、少なくとも２つ以上の映像を合成して同時に１画面に表示するよう機能し、例えば複数の分割表示映像８０５ａ，８０５ｂ，８０５ｃ，８０５ｄを合成して、モニタ８２０の画面を４つに分割するような表示映像８０５を生成する。映像表示手段８０２が有する画面強調表示手段８１２は、再生手段８０３の異常検出手段８１１で検出された異常発生時刻の映像が映像表示手段８０２から表示される際、当該異常発生時刻の映像を強調して表示するよう機能する。
【００８０】
再生手段８０３は、分割再生情報生成手段８１０で生成された分割再生情報を用いて記録手段８０４から仮想的に分割された映像データをそれぞれ抽出し、抽出した映像データの圧縮符号化方式に対応した復号処理を行って分割された映像データを同時に再生するよう機能する。また、再生手段８０３は、復号処理を行う際、映像データにおける異常発生を検知する異常検出手段８１１を有し、異常検出手段８１１で検出した異常発生時刻を映像表示手段８０２の画面強調表示手段８１２と異常映像管理手段８１３へ通知するよう機能する。なお、再生手段８０３の実現手段はハードウェアでもソフトウェアでもかまわない。
【００８１】
再生手段８０３が有する異常検出手段８１１は、記録手段８０４から抽出した映像データのフレームと１フレーム前のフレームとの変化量が所定の値を超えた場合、当該映像データの異常発生時刻を検出する。この変化量を算出する手段は、圧縮符号化方式により異なる。例えばＭＰＥＧ−４といった圧縮符号化方式では、１つ前のフレームとの相関データを利用して符号化しており、相関データには動きベクトルという情報がある。この動きベクトルの変化量を算出し、変化量が基準以上であればフレーム間に大きな映像の変化があったと判断する。また、例えばＪＰＥＧのようなフレーム間での相関を持たないような圧縮符号化方式においては、各画素における輝度値の分散値を算出し、前のフレームの分散値と比較して基準以上の差が生じている場合にはフレーム間に大きな映像の変化があったと判断する。
【００８２】
異常映像管理手段８１３は、映像データ８０６，８０７，８０８，８０９ごとの異常発生時刻を管理データ８１４，８１５，８１６，８１７として記録する。
【００８３】
次に、実施の形態３の映像再生装置８０１における分割表示映像を強調する処理の動作について説明する。図１１のフローチャートは、実施の形態３の映像再生装置８０１における分割表示映像の強調処理を示している。
【００８４】
再生手段８０３は、記録手段８０４から仮想分割後の映像データごとに１フレーム分の映像データを入力すると（実施の形態１の図４におけるステップＳＴ２０３）、入力した映像データを復号処理する（実施の形態１の図４におけるステップＳＴ２０４）。
【００８５】
異常検出手段８１１は、再生手段８０３において仮想分割後の映像データが復号処理される際（開始）、例えば映像データに含まれる相関データの動きベクトルまたは連続するフレーム間の各画素における輝度値の分散値を用いて、映像データにおける連続するフレーム間の変化量を算出し（ステップＳＴ９０１）、算出した変化量が予め設定された所定の基準値を超えるか否かを判定する（ステップＳＴ９０２）。異常検出手段８１１は、ステップＳＴ９０２において変化量が予め設定された所定の基準値以内の場合（ステップＳＴ９０２“ＮＯ”）、異常を検出せずに処理を終える（終了）。
【００８６】
異常検出手段８１１は、ステップＳＴ９０２において変化量が予め設定された所定の基準値を超える場合（ステップＳＴ９０２“ＹＥＳ”）、仮想分割後の映像データにおいて異常が発生したものと判断し（ステップＳＴ９０３）、異常が発生した映像データの撮影時刻（異常発生時刻）を異常映像管理手段８１３へ通知する。異常映像管理手段８１３は、異常検出手段８１１から異常発生時刻を入力すると、異常が発生した映像データに対応する管理データとして記録する。
【００８７】
また、異常検出手段８１１は、再生手段８０３で復号処理した映像データが出力されるのと同期して、画面強調表示手段８１２へ異常発生を通知する（ステップＳＴ９０４）。画面強調表示手段８１２は、異常検出手段８１１から異常発生通知を受けると、図１２に示すように、映像表示手段８０２から合成された表示映像９０２が出力される際、図１２に示すように、異常が発生した映像データの分割映像表示９０２ａに色枠を付け強調処理を行う（ステップＳＴ９０５）。画面強調表示手段８１２は、ステップＳＴ９０５において分割映像表示９０２ａに色枠を付けると、予め設定された一定時間（例えば５秒間）色枠を付けるよう強調処理を行う。
【００８８】
以上のように、実施の形態３によれば、実施の形態１，２の効果に加え、再生手段８０３で分割後のそれぞれの映像データを再生する際、再生されたそれぞれの映像データの連続するフレーム間の変化量を算出し、算出した変化量が所定の値を超えた場合、当該映像データにおける異常を検出する異常検出手段８１１と、映像表示手段８０２で分割後のそれぞれの映像データをモニタ８２０に分割表示させる際、異常検出手段８１１で異常が検出された映像データを強調処理する画面強調表示手段８１２とを備えるよう構成したので、映像データの連続するフレーム間の変化量が大きい場合を異常であると判定して、その分割表示映像を強調表示して目立たせることで監視者による映像の確認漏れを防ぐことができる。また、異常発生時の時刻を管理することで、監視者が異常映像を容易に再確認することができる。
【００８９】
なお、実施の形態３においては、強調処理として分割映像表示に色枠を付ける処理について説明したが、監視者の注意を引くことが出来るものであれば色枠に限定されず、映像の確認に支障が出ないように文字表示を行うなど別の強調表示を実施してもよい。
【００９０】
また、実施の形態３において、図１３に示すような再生状態を示すプログレスバー表示を行っている場合、異常検出手段８１１で異常が発生したと判断された映像データの撮影時刻（異常発生表示）をプログレスバー１２０１上に表示するように構成してもよい。
【００９１】
さらに、実施の形態３において、プログレスバー１２０１上に異常発生表示を行う場合、異常映像管理手段８１３に格納されている管理データを用いて表示させ、表示させた異常発生表示と異常が発生した時刻の映像データをリンクさせることにより、監視者が異常発生表示を選択するだけで異常が発生した映像を再生することができるよう構成してもよい。
【符号の説明】
【００９２】
１０１，８０１  映像再生装置、１０２，８０２  映像表示手段、１０３，８０３  再生手段、１０４，８０４  記録手段、１０５  表示映像、１０５ａ，１０５ｂ，１０５ｃ，１０５ｄ  分割表示映像、１０６，１０７，１０８，１０９，８０６，８０７，８０８，８０９  映像データ、１１０，８１０  分割再生情報生成手段、１２０，１２１，８２０  モニタ、２０１，５０１  記録画像再生設定画面、８１１  異常検出手段、８１２  画面強調表示手段、８１３  異常映像管理手段、８１４，８１５，８１６，８１７  管理データ、１２０１  プログレスバー。
【図１】
2012004941.tif 000003
【図２】
2012004941.tif 000004
【図３】
2012004941.tif 000005
【図４】
2012004941.tif 000006
【図５】
2012004941.tif 000007
【図６】
2012004941.tif 000008
【図７ａ】
2012004941.tif 000009
【図７ｂ】
2012004941.tif 000010
【図８】
2012004941.tif 000011
【図９】
2012004941.tif 000012
【図１０】
2012004941.tif 000013
【図１１】
2012004941.tif 000014
【図１２】
2012004941.tif 000015
【図１３】
2012004941.tif 000016